Podtech/llm-jp-corpus-v4-ja_patent huggingface dataset:
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
ガラスの全重量のパーセントとして表される含有量で、以下：
ＳｉＯ２    ５５〜８５％
Ａｌ２Ｏ３    ０〜３０％
Ｂ２Ｏ３    ０〜２０％
Ｎａ２Ｏ    ０〜２５％
ＣａＯ    ０〜２０％
ＭｇＯ    ０〜１５％
Ｋ２Ｏ    ０〜２０％
ＢａＯ    ０〜２０％
全鉄（Ｆｅ２Ｏ３の形態で表される）    ０．００２〜１％
を含む組成を有し、
前記組成が、前記ガラスの全重量に対する重量パーセントとして、
−  ０．００１％〜０．５％の範囲のクロム（Ｃｒ２Ｏ３の形態で表される）含有量、
−  ０．０００１％〜０．５％の範囲のコバルト（Ｃｏの形態で表される）含有量、
−  ０．０００３％〜０．５％の範囲のセレン（Ｓｅの形態で表される）含有量
を含むこと、
ならびにＴＩＲ４＞ＴＬＤ４を有することを特徴とし、
ＴＩＲ４は、７８０〜２５００ｎｍの波長範囲に対するＩＲ透過であり、かつＴＬＤ４は、３８０〜７８０ｎｍの波長範囲に対する、２°の立体観測角において、発光物Ｄ６５を用いての光透過であり、それぞれが、％で表され、かつ４ｍｍのシート厚さに対して、ＩＳＯ  ９０５０規格に従う、ガラスシート。
【請求項２】
前記組成が、０．００２≦Ｆｅ２Ｏ３≦０．３％のような全鉄含有量を含むことを特徴とする、請求項１に記載のガラスシート。
【請求項３】
前記組成が、０．００２≦Ｆｅ２Ｏ３≦０．０６％のような全鉄含有量を含むことを特徴とする、請求項１または２に記載のガラスシート。
【請求項４】
前記組成が、０．００２≦Ｆｅ２Ｏ３≦０．０４％のような全鉄含有量を含むことを特徴とする、請求項１〜３のいずれか一項に記載のガラスシート。
【請求項５】
前記組成が、Ｆｅ２Ｏ３≦７＊Ｃｒ２Ｏ３を含むことを特徴とする、請求項１〜４のいずれか一項に記載のガラスシート。
【請求項６】
前記組成が、
−  全鉄（Ｆｅ２Ｏ３の形態で表される）含有量≦０．７％；
−  クロム（Ｃｒ２Ｏ３の形態で表される）含有量≦０．０４６５％；
−  コバルト（Ｃｏの形態で表される）含有量≦０．００４％；
−  （Ｓｅ＊Ｆｅ２Ｏ３）≦０．００１２％；および
−  （３０００＊Ｃｏ）＋（２６０＊Ｃｒ２Ｏ３）＋（１００００＊Ｓｅ＊Ｆｅ２Ｏ３）＋（１６．２＊Ｆｅ２Ｏ３）＜１２
を含むことを特徴とする、請求項１〜５のいずれか一項に記載のガラスシート。
【請求項７】
前記組成が、
−  全鉄（Ｆｅ２Ｏ３の形態で表される）含有量≦０．４％；
−  クロム（Ｃｒ２Ｏ３の形態で表される）含有量≦０．０２７％；
−  コバルト（Ｃｏの形態で表される）含有量≦０．００２３％；
−  （Ｓｅ＊Ｆｅ２Ｏ３）≦０．０００７％；および
−  （３０００＊Ｃｏ）＋（２６０＊Ｃｒ２Ｏ３）＋（１００００＊Ｓｅ＊Ｆｅ２Ｏ３）＋（１６．２＊Ｆｅ２Ｏ３）＜７
を含むことを特徴とする、請求項１〜６のいずれか一項に記載のガラスシート。
【請求項８】
前記組成が、
−  全鉄（Ｆｅ２Ｏ３の形態で表される）含有量≦０．２％；
−  クロム（Ｃｒ２Ｏ３の形態で表される）含有量≦０．０１１％；
−  コバルト（Ｃｏの形態で表される）含有量≦０．００１％；
−  （Ｓｅ＊Ｆｅ２Ｏ３）≦０．０００３％；および
−  （３０００＊Ｃｏ）＋（２６０＊Ｃｒ２Ｏ３）＋（１００００＊Ｓｅ＊Ｆｅ２Ｏ３）＋（１６．２＊Ｆｅ２Ｏ３）＜３
を含むことを特徴とする、請求項１〜６のいずれか一項に記載のガラスシート。
【請求項９】
前記組成が、（３０００＊Ｃｏ）＋（２６０＊Ｃｒ２Ｏ３）＋（１００００＊Ｓｅ＊Ｆｅ２Ｏ３）＋（１６．２＊Ｆｅ２Ｏ３）≧１２を含むことを特徴とする、請求項１〜５のいずれか一項に記載のガラスシート。
【請求項１０】
前記組成が、１＊Ｃｏ＜Ｓｅ＜１０＊Ｃｏを含むことを特徴とする、請求項１〜９のいずれか一項に記載のガラスシート。
【請求項１１】
前記組成が、１＊Ｃｏ＜Ｃｒ２Ｏ３＜１０＊Ｃｏを含むことを特徴とする、請求項９および１０のいずれかに記載のガラスシート。
【請求項１２】
前記組成が、２＊Ｃｏ＜Ｓｅ＜１７＊Ｃｏを含むことを特徴とする、請求項９に記載のガラスシート。
【請求項１３】
前記組成が、２＊Ｃｏ＜Ｃｒ２Ｏ３＜１０＊Ｃｏを含むことを特徴とする、請求項９および１２のいずれか一項に記載のガラスシート。
【請求項１４】
タッチ表面を画定する、請求項１〜１３のいずれか一項に記載の少なくとも１つのガラスシートを含む、タッチスクリーンまたはタッチパネルまたはタッチパッド。
【請求項１５】
本質的にガラスシート内部を伝搬する赤外線を使用するデバイスにおける、請求項１〜１３のいずれか一項に記載のガラスシートの使用。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
疾患の治療に使用される、TYKRIL、MIR210HG、RP11-367F23.1、H19、RP11-44N21.1、AC
006273.7、RP11-120D5.1、AP001046.5、RP11-443B7.1、AC005082.12、RP11-65J21.3、又
はAC008746.12から選択される長鎖非コーディングRNA（lncRNA）の阻害剤。
【請求項２】
前記lncRNAがTYKRILであり、配列番号1に対して少なくとも80 %の配列同一性を有する
配列を含む、請求項1に記載の阻害剤。
【請求項３】
前記阻害剤が、アンチセンスRNA、RNA干渉（RNAi）、siRNA、esiRNA、shRNA、miRNA、
デコイ、RNAアプタマー、GapmeR、LNA分子によって代表されるlncRNAアンチセンス分子、
又はアンチセンス発現分子、又は低分子阻害剤、RNA／DNA結合タンパク質／ペプチド、又
は抗lncRNA抗体である、請求項1又は2に記載の阻害剤。
【請求項４】
前記lncRNAアンチセンス分子が、合計8個〜100個のヌクレオチドの連続するヌクレオチ
ド配列を有する核酸オリゴマーであり、ここで、前記連続するヌクレオチド配列がlncRNA
の配列の逆相補に対して少なくとも80 %同一性である、請求項3に記載の阻害剤。
【請求項５】
前記アンチセンス分子が、2'−O−メトキシ−エチル（MOE）又は2'−O−メチル（OMe）
によって代表される2'−O−アルキル改変、エチレン架橋核酸（ENA）、ペプチド核酸（PN
A）、2'−フルオロN3−P5'−ホスホラミダイトによって代表される2'−フルオロ（2'-F）
核酸、1',5'−無水ヘキシトール核酸（HNA）、及びロックド核酸（LNA）から選択される
、少なくとも1つの核酸の改変を有する連続するヌクレオチド配列を含む、請求項3又は4
に記載の阻害剤。
【請求項６】
前記疾患が、血小板由来増殖因子受容体（PDGFR）の発現増加と関連する、及び／又はp
53もしくはPDGFR-βの発現／機能の減少と関連する疾患、及び／又は眼疾患、線維性疾患
（線維症）、血管疾患、及び／又は腫瘍性疾患、及び／又は白血病である、請求項1〜5の
いずれか一項に記載の阻害剤。
【請求項７】
前記治療が、lncRNAの阻害剤、及びPDGFR阻害剤によって代表される第2の治療剤の同時
の又は順次の投与を含む、請求項1〜6のいずれか一項に記載の阻害剤。
【請求項８】
前記PDGFR阻害剤が、抗PDGFR抗体、低分子チロシンキナーゼ阻害剤、又はイマチニブ、
ソラフェニブ、ラパチニブ、BIRB-796及びAZD-1152；AMG706、ザクティマ（ZD6474）、MP
-412、ソラフェニブ（BAY 43-9006）、ダサチニブ、CEP-701（レスタウルチニブ）、XL64
7、XL999、タイケルブ（ラパチニブ）、MLN518、PKC412、STI571、AEE 788、OSI-930、OS
I-817、スーテント（マレイン酸スニチニブ）、アキシチニブ（AG-013736）、エルロチニ
ブ、ゲフィチニブ、アキシチニブ、テムシロリムス、若しくはニロチニブ（AMN107）であ
る、請求項7に記載の阻害剤。
【請求項９】
（a）請求項1〜8のいずれか一項に記載のlncRNAの阻害剤と、
（b）PDGFR阻害剤と、
を含む、医薬の組み合わせ。
【請求項１０】
疾患の治療に使用されるPDGFR阻害剤であって、該治療が、請求項1〜9のいずれか一項
に記載のlncRNA阻害剤の同時の又は順次の投与を含む、PDGFR阻害剤。
【請求項１１】
請求項1〜7のいずれか一項に記載のlncRNAの阻害剤、又は請求項9に記載の医薬の組み
合わせを、任意に薬学的に許容可能な担体及び／又は賦形剤と共に含む、医薬組成物。
整理番号:1710953042 PCT/EP2016/056013 (Proof) 提出日:平成29年9月20日2/E
【請求項１２】
TYKRIL、MIR210HG、RP11-367F23.1、H19、RP11-44N21.1、AC006273.7、RP11-120D5.1、
AP001046.5、RP11-443B7.1、AC005082.12、RP11-65J21.3、又はAC008746.12から選択され
るlncRNAの発現及び／又は機能の調節因子をスクリーニングするin vitro方法であって、
該方法は、
（a）周皮細胞の試料を準備することと、
（b）任意に、周皮細胞の試料において低酸素状態を誘導することと、
（c）周皮細胞の試料を候補化合物と接触させることと、
（d）周皮細胞の試料において下記の少なくとも1つを判定することと、
（i）lncRNAの発現レベル
（ii）PDGFRの発現レベル
（iii）内皮細胞への周皮細胞の動員
（iv）周皮細胞の増殖
（v）p53の活性又は発現
（vi）p53とヒストンアセチルトランスフェラーゼp300との相互作用
を含み、ここで、対照と比較した（i）〜（vi）のいずれかの著しい変化が、前記候補化
合物がlncRNAの発現及び／又は機能の調節因子であることを示す、方法。
【請求項１３】
対照と比較して（i）及び／又は（ii）における発現の減少、及び／又は対照と比較し
て（iii）における動員不全、及び／又は（iv）における増殖の減少、及び／又は（v）に
おけるp53の発現若しくは活性の変更、及び／又は（vi）におけるp53とその活性化補助因
子p300との相互作用の変更が、候補化合物がlncRNAの発現及び／又は機能の阻害剤である
ことを示す、請求項12に記載の方法。
【請求項１４】
工程（b）及び工程（c）を逆順に又は同時に行うことができる、請求項12又は13に記載
の方法。
【請求項１５】
阻害剤TYKRILを同定する、請求項12〜14のいずれか一項に記載の方法。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
皮脂の過剰産生に関連した皮膚疾患又は疾病、即ち脂漏性湿疹を処置するために使用される組成物であって、該組成物は、ＳＥＱ  ＩＤ  ＮＯ：２１に明記されるようなアミノ酸配列、又はＳＥＱ  ＩＤ  ＮＯ：２１のアミノ酸位置２及び４にてリジン残基を保持するＳＥＱ  ＩＤ  ＮＯ：２１の保存的に置換されたアミノ酸配列を含むポリペプチド、及び、薬学的又は審美的に許容可能な担体を含む、組成物。
【請求項２】
ポリペプチドはリンカーを更に含む、ことを特徴とする請求項１に記載の組成物。
【請求項３】
組成物は、ポリペプチドに結合される細胞透過性ペプチド又は皮膚透過性ペプチドを更に含む、ことを特徴とする請求項１又は２に記載の組成物。
【請求項４】
ポリペプチドは、ＳＥＱ  ＩＤ  ＮＯ：２１に明記されるようなアミノ酸配列を含む、ことを特徴とする請求項１乃至３の何れか１つに記載の組成物。
【請求項５】
ポリペプチドは、ＳＥＱ  ＩＤ  ＮＯ：１又はＳＥＱ  ＩＤ  ＮＯ：２に対して少なくとも９０％の配列同一性を有している、或いは、ＳＥＱ  ＩＤ  ＮＯ：１又はＳＥＱ  ＩＤ  ＮＯ：２の保存的に置換されたアミノ酸配列に対して少なくとも９０％の配列同一性を有しているアミノ酸配列を含む、ことを特徴とする請求項１乃至４の何れか１つに記載の組成物。
【請求項６】
ポリペプチドは、ＳＥＱ  ＩＤ  ＮＯ：２に対して少なくとも９５％の配列同一性を有している、或いは、ＳＥＱ  ＩＤ  ＮＯ：２の保存的に置換されたアミノ酸配列に対して少なくとも９５％の配列同一性を有しているアミノ酸配列を含む、ことを特徴とする請求項１乃至４の何れか１つに記載の組成物。
【請求項７】
ポリペプチドは、単一の非保存的アミノ酸の置換、欠失、又は挿入を伴うＳＥＱ  ＩＤ  ＮＯ：１又はＳＥＱ  ＩＤ  ＮＯ：２のアミノ酸配列を有している、或いは、単一の非保存的アミノ酸の置換、欠失、又は挿入を伴うＳＥＱ  ＩＤ  ＮＯ：１又はＳＥＱ  ＩＤ  ＮＯ：２の保存的に置換されたアミノ酸配列を有しているアミノ酸配列を含み、ポリペプチドはＩｎｓｉｇ−１のユビキチン化を阻害する、ことを特徴とする請求項１乃至４の何れか１つに記載の組成物。
【請求項８】
ポリペプチドは、ＳＥＱ  ＩＤ  ＮＯ：１又はＳＥＱ  ＩＤ  ＮＯ：２のアミノ酸配列、或いは、ＳＥＱ  ＩＤ  ＮＯ：１又はＳＥＱ  ＩＤ  ＮＯ：２の保存的に置換されたアミノ酸配列を含む、ことを特徴とする請求項１乃至４の何れか１つに記載の組成物。
【請求項９】
組成物は局所組成物である、ことを特徴とする請求項１乃至４の何れか１つに記載の組成物。
【請求項１０】
皮脂の過剰産生に関連した皮膚疾病、即ち座瘡を審美的に処置するための、請求項１乃至８の何れか１つに記載のポリペプチドの使用。
【請求項１１】
脂腺細胞による脂質産生を変更する方法であって、該方法は、請求項１乃至８の何れか１つに記載のポリペプチドを、脂腺細胞に投与する工程を含み、投与はインビトロで行われる、方法。
【請求項１２】
変更は、対照の脂腺細胞と比べた脂質産生の減少である、ことを特徴とする請求項１１に記載の方法。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
式２ａの化合物またはその塩または溶媒和物を単離する方法であって、
【化１】
2018517768.tif 000001
その方法は、
ａ）式２ａ、２ｂのジアステレオ異性体の混合物を、塩基の存在下で、塩基性複素環式アルデヒド化合物及び光学活性アミンと反応させ、
【化２】
2018517768.tif 000002
ｂ）酸抽出によって工程ａ）の生成物から式２ａの化合物を分離することを含む製造方法。
【請求項２】
式２ａの化合物を９８％のエナンチオマー過剰で製造する請求項１に記載の製造方法。
【請求項３】
塩基性複素環アルデヒド化合物は、式１２の化合物である請求項１に記載の製造方法。
【化３】
2018517768.tif 000003
（式中、Ａｒは、Ｃ１−６アルキルおよびＣ１−６アルコキシから選択される１または２の置換基で置換されていてもよい複素環式５または６員ヘテロアリール環構造を表す。
）
【請求項４】
式１２の化合物は、１−メチル−５−イミダゾールカルボアルデヒド、１−メチル−４−イミダゾールカルボアルデヒド、３−ピリジンカルボキシアルデヒドおよび２−ピリジンカルボキシアルデヒドからなる群から選択される請求項３に記載の製造方法。
【請求項５】
塩基性複素環アルデヒド化合物は、４−ピリジンカルボキシアルデヒドである請求項４に記載の製造方法。
【請求項６】
光学活性アミンは二級アミンである請求項１に記載の製造方法。
【請求項７】
前記光学活性アミンが、（Ｒ）−２−（ジフェニルメチル）ピロリジンを含む請求項６に記載の製造方法。
【請求項８】
前記塩基が４−メチルモルホリン、Ｎ、Ｎ−ジイソプロピルエチルアミン、トリメチルアミン、トリブチルアミン、Ｎ−メチルピロール、Ｎ−メチルピロリジン、Ｎ−メチルピペラジン、ピリジン、４−ピコリン、２，６−ルチジン、Ｎ−メチルイミダゾール、Ｎ、Ｎ−ジエチルアニリン、リン酸カリウム、１，８−ジアザビシクロ［５，４，０］ウンデカ−７−エンおよび１，４−ジアゾビシクロ［２，２，２］オクタンからなる群から選択される請求項１に記載の製造方法。
【請求項９】
前記塩基が４−メチルモルホリンである請求項８に記載の製造方法。
【請求項１０】
前記式２ａ、２ｂのジアの混合物に対する塩基性複素環アルデヒド化合物の化学量論比が０．５：１〜２：１の範囲である請求項１に記載の製造方法。
【請求項１１】
式２ａ、２ｂのジアステレオ異性体の混合物、塩基性複素環アルデヒド化合物および光学活性アミンの間の反応が１５〜２４時間の期間にわたって温度３０〜６０℃の範囲で行われる請求項１に記載の製造方法。
【請求項１２】
式２ａ、２ｂのジアステレオ異性体の混合物に対する光学活性アミンの化学量論比は、０．０１：０．３である請求項１に記載の製造方法。
【請求項１３】
式２ａ、２ｂのジアステレオ異性体の混合物、塩基性複素環アルデヒド化合物および光学活性アミンの間の反応が溶媒中で行われる請求項１に記載の製造
方法。
【請求項１４】
前記溶媒が１−メチル−２−ピロリジノンを含む請求項１３に記載の製造方法。
【請求項１５】
酸抽出は、溶媒および水の存在下、塩酸または硫酸を用いて行われる請求項１に記載の製造方法。
【請求項１６】
式２ａ、２ｂのジアステレオ異性体の混合物がラセミ混合物である請求項１に記載の製造方法。
【請求項１７】
式２ａ、２ｂのジアステレオ異性体の混合物と式１３の塩基性複素環式アルデヒド化合物及び光学活性アミンとの反応生成物が、式１４の化合物の混合物である請求項１に記載の製造方法。
【化４】
2018517768.tif 000004
式中、Ｒ１は水素またはＣ１−６アルキルを表し、Ｒ２は水素またはＣ１−６アルコキシを表す。
【化５】
2018517768.tif 000005
式中、Ｙは、＝ＣＨ−（４−ピリジル）または−ＣＨ（ＯＨ）−（４−ピリジル）を表す。
【請求項１８】
式１の化合物又はそのプロドラッグを製造する方法であって、
【化６】
2018517768.tif 000006
式２ａ、２ｂ
【化７】
2018517768.tif 000007
のジアステレオ異性体の混合物を、光学活性アミンおよび塩基の存在下で塩基性複素環アルデヒド化合物と反応させることにより、式２ａ
【化８】
2018517768.tif 000008
【請求項１９】
前記変換は、式２ａの化合物
【化９】
2018517768.tif 000009
【化１０】
2018517768.tif 000010
と反応させることを含む請求項１８に記載の式１の化合物の製造方法。
【請求項２０】
前記変換は、式５の化合物
【化１１】
2018517768.tif 000011
を、塩基の存在下で、ニトロメタンと反応させて、式６
【化１２】
2018517768.tif 000012
の化合物を得る工程をさらに含む請求項１９の式１の化合物の製造方法。
【請求項２１】
前記変換は、さらに、式６の化合物
【化１３】
2018517768.tif 000013
を、任意に触媒の存在下、昇温して、アジド化合物と反応、つまり、環形成反応させ、式７
【化１４】
2018517768.tif 000014
の化合物を得る工程をさらに含む請求項２０に記載の式１の化合物の製造方法。
【請求項２２】
前記変換は、式７
【化１５】
2018517768.tif 000015
の化合物と反応させて式１
【化１６】
2018517768.tif 000016
の化合物を製造する工程をさらに含む請求項２１に記載の式１の化合物の製造方法。
【請求項２３】
前記プロドラッグが式１の化合物のアミン基の加水カルバミン酸塩である請求項１８に記載の製造方法。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
対象の疾患を治療又は予防するための医薬組成物であって、前記医薬組成物が、ジシクロプラチン（ＤＣＰ）を有効成分として含み、前記疾患が、白血病、腎臓腺がん、又はメラノーマである、医薬組成物。
【請求項２】
医薬組成物が、ＤＣＰを唯一の有効成分として含む、請求項１に記載の医薬組成物。
【請求項３】
医薬組成物が、少なくとも一種の治療薬又は少なくとも一種のアジュバント療法薬をさらに含む、請求項１又は２に記載の医薬組成物。
【請求項４】
少なくとも一種の治療薬又は少なくとも一種のアジュバント療法薬が、葉酸、補酵素Ｑ１０、クルクミン、グルタチオン（ＧＳＨ）、アロエ、オリザノール、５−フルオロウラシル、及びボルテゾミブからなる群から選択される、請求項３に記載の医薬組成物。
【請求項５】
医薬組成物が、医薬的に許容可能な担体又は賦形剤をさらに含む、請求項１〜４のいずれかに記載の医薬組成物。
【請求項６】
医薬組成物が、注射で、又は経口ルートによって投与されるためのものである、請求項１〜５のいずれかに記載の医薬組成物。
【請求項７】
対象に投与される医薬組成物におけるＤＣＰの量が、約０．０１〜１０ｍｇ／ｋｇ体重の量である、請求項１〜６のいずれかに記載の医薬組成物。
【請求項８】
白血病又はメラノーマを患っている対象における悪性細胞を殺傷するための医薬組成物であって、前記医薬組成物が、ＤＣＰの有効量を含む、医薬組成物。
【請求項９】
悪性細胞が、がん性白血球細胞であり、対象が、前骨髄球性白血病を患っている、請求項８に記載の医薬組成物。
【請求項１０】
悪性細胞が、がん性骨髄芽球であり、対象が、骨髄性白血病を患っている、請求項８に記載の医薬組成物。
【請求項１１】
ＤＣＰの有効量が、約０．０１〜５ｍｇ／ｋｇ体重である、請求項８〜１０のいずれかに記載の医薬組成物。
【請求項１２】
腎臓腺がんを患っている対象における悪性腎臓細胞を殺傷するための医薬組成物であって、前記医薬組成物が、ＤＣＰの有効量を含む、医薬組成物。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
被験体中のヘルペスウイルス感染に関連する疾患を処置または予防するための薬剤の製造における、被験体のウイルス感染細胞においてウイルス遺伝子産物の発現を誘発するための誘発剤と、および、発現されたウイルス遺伝子産物に向けられる抗ウイルス活性を有する抗ウイルス薬との使用であって、前記誘発剤はチダミドおよび４ＳＣ−２０２から選択されるＨＤＡＣ阻害剤であることを特徴とする、使用。
【請求項２】
前記疾患はエプスタイン・バーウイルス感染に関連する癌であることを特徴とする請求項１に記載の使用。
【請求項３】
前記癌は、リンパ腫、バーキットリンパ腫、ホジキン病、鼻咽頭癌、毛髪状白斑、ＡＩＤＳリンパ腫、ＮＫ／Ｔ細胞リンパ腫または中枢神経系リンパ腫であることを特徴とする請求項２に記載の使用。
【請求項４】
疾患は、皮膚筋炎、全身性エリテマトーデス、関節リウマチ、シェーグレン症候群および多発性硬化症から選択されるエプスタイン・バーウイルス感染に関連する自己免疫性または炎症性の疾患であることを特徴とする、請求項１に記載の使用。
【請求項５】
前記疾患は単純ヘルペスウイルス感染に関連する癌であることを特徴とする、請求項１に記載の使用。
【請求項６】
前記疾患はヒトヘルペスウイルス８型感染に関連する癌であることを特徴とする、請求項１に記載の使用。
【請求項７】
前記疾患はサイトメガロウイルス感染に関連する癌であることを特徴とする、請求項１に記載の使用。
【請求項８】
前記癌は粘液性類表皮癌であることを特徴とする、請求項７に記載の使用。
【請求項９】
前記疾患は、肝炎、大腸炎、網膜炎、肺臓炎、食道炎、横断性脊髄炎、脳炎および多発神経根症から選択される、サイトメガロウイルス感染に関連する炎症性の疾患であることを特徴とする、請求項１に記載の使用。
【請求項１０】
前記疾患はリンパ腫であることを特徴とする、請求項１に記載の使用。
【請求項１１】
誘発剤は、被験体のウイルス感染細胞中のウイルス遺伝子産物の発現を誘発し、ウイルス遺伝子産物は、ウイルス酵素、癌遺伝子またはプロト癌遺伝子、転写調節因子、プロテアーゼ、ポリメラーゼ、逆転写酵素、細胞表面受容体、構造タンパク質、主要組織適合抗原、成長因子、または、その組み合わせであることを特徴とする、請求項１に記載の使用。
【請求項１２】
ウイルス遺伝子産物はチミジンキナーゼ（ＴＫ）またはタンパク質キナーゼ（ＰＫ）から選択されるウイルス酵素であることを特徴とする、請求項１１に記載の使用。
【請求項１３】
ウイルス遺伝子産物はチミジンキナーゼであることを特徴とする、請求項１２に記載の使用。
【請求項１４】
誘発剤は、約１．０から約１０００ｍｇ／日の用量で投与されることを特徴とする、請求項１に記載の使用。
【請求項１５】
誘発剤は１日に２回（ＢＩＤ）投与されることを特徴とする、請求項１４に記載の使用。
【請求項１６】
前記抗ウイルス薬は、インターフェロン、アミノ酸アナログ、ヌクレオシドアナログ、インテグラーゼ阻害剤、プロテアーゼ阻害剤、ポリメラーゼ阻害剤および転写酵素阻害剤からなる群から選択されることを特徴とする、請求項１に記載の使用。
【請求項１７】
抗ウイルス薬は、アシクロビル（ＡＣＶ）、ガンシクロビル（ＧＣＶ）、バルガンシクロビル、ファムシクロビル、ペンシクロビル（ＰＣＶ）、ホスカルネット、リバビリン、ザルシタビン（ｄｄＣ）、ジブドジン（ＡＺＴ）、スタブジン（Ｄ４Ｔ）、ラミブジン（３ＴＣ）、ジダノシン（ｄｄｌ）、シタラビン、ジデオキシアデノシン、エドクスジン、フロクスウリジン、イドクスウリジン、イノシンプラノベクス、２’−デオキシ−５−（メチルアミノ）ウリジン、トリフルリジンおよびビダラビンからなる群から選択されるヌクレオシドアナログであることを特徴とする、請求項１に記載の使用。
【請求項１８】
誘発剤は、５００ナノモル以下の濃度で阻害活性を有するＨＤＡＣ阻害剤であることを特徴とする、請求項１に記載の使用。
【請求項１９】
誘発剤は、５００ナノモル以下の濃度でチミジンキナーゼ発現を誘発することができるＨＤＡＣ阻害剤であることを特徴とする、請求項１に記載の使用。
【請求項２０】
前記被験体中の誘発剤の血漿レベルは５μＭ未満であることを特徴とする、請求項１に記載の使用。
【請求項２１】
前記誘発剤は経口で投与されることを特徴とする、請求項１に記載の使用。
【請求項２２】
前記誘発剤はチダミドであることを特徴とする、請求項１に記載の使用。
【請求項２３】
前記誘発剤は４ＳＣ−２０２であることを特徴とする、請求項１に記載の使用。
【請求項２４】
前記抗ウイルス薬はバルガンシクロビルであることを特徴とする、請求項１に記載の使用。
【請求項２５】
前記誘発剤および前記抗ウイルス薬は治療の少なくとも１つのサイクルのために投与され、前記サイクルは：
ｉ．第１の期間にわたり、被験体へ誘発剤および抗ウイルス薬を投与すること；および、
ｉｉ．第２の期間の間に、被験体へ誘発剤を投与せずに、抗ウイルス薬の投与を継続すること；を含み、
前記第２の期間は、サイクルの残りの期間を表わすことを特徴とする、請求項１に記載の使用。
【請求項２６】
第１の期間の間に、抗ウイルス薬および誘発剤は同じ組成物中で投与されることを特徴とする、請求項２５に記載の使用。
【請求項２７】
前記第１の期間はサイクルの長さの半分以下であることを特徴とする、請求項２５に記載の使用。
【請求項２８】
前記第１の期間は約５日以下であり、前記サイクルは約２１日以下であることを特徴とする、請求項２７に記載の使用。
【請求項２９】
誘発剤は１４日間投与され、続いて７日間は薬剤は投与されないことを特徴とする、請求項１に記載の使用。
【請求項３０】
ウイルス性関連疾患は敗血症またはウイルス血症ではないことを特徴とする、請求項１に記載の使用。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
組成物であって、前記組成物は、１）有機成分、及び２）金属塩を含み、前記有機成分は、アルデヒド官能化ポリアクリルアミド、ジアルデヒド、ポリアクリルアミド、及びこれらの任意の組み合わせから成る一覧から選択される１つの品目である、組成物。
【請求項２】
前記有機成分は、前記組成物の０．０１〜７０重量％であり、前記金属塩は、前記組成物の０．０５〜９０重量％である、請求項１に記載の組成物。
【請求項３】
前記有機成分は、ジアルデヒドのポリアクリルアミドとの反応によって得られるアルデヒド官能化ポリアクリルアミドである、請求項１または２に記載の組成物。
【請求項４】
前記有機成分は、アルデヒド官能化ポリアクリルアミドであり、前記アルデヒド官能化ポリアクリルアミドは、０．００１〜１００：１の範囲のジアルデヒド基のアクリルアミドモノマーに対するモル比を有する、請求項１〜３のいずれか一項に記載の組成物。
【請求項５】
前記有機成分の平均分子量は、５，０００〜１０，０００，０００ｇ／モルの範囲にある、請求項１〜４のいずれか一項に記載の組成物。
【請求項６】
前記有機成分は、ジアルデヒドを含むか、またはジアルデヒドのポリアクリルアミドとの反応によって得られるアルデヒド官能化ポリアクリルアミドを含み、前記ジアルデヒドは、グリオキサール、マロンジアルデヒド、サクシンジアルデヒド、グルタルジアルデヒド、またはこれらの任意の組み合わせを含む、請求項１〜５のいずれか一項に記載の組成物。
【請求項７】
前記有機成分は、アクリルアミド類モノマー、カチオン性モノマー、及び／またはアニオン性モノマーの共重合によって形成されるポリアクリルアミドを含む、請求項１〜５のいずれか一項に記載の組成物。
【請求項８】
前記有機成分は、カチオン性、アニオン性、または両性イオン性であるポリアクリルアミドを含む、請求項１〜５のいずれか一項に記載の組成物。
【請求項９】
前記ポリアクリルアミドは、アクリルアミドまたはメタクリルアミドから選択されるモノマーを含む、請求項７に記載の組成物。
【請求項１０】
前記カチオン性モノマーは、ジアリル−Ｎ，Ｎ−二置換アンモニウムクロリド、ジアリルジメチルアンモニウムクロリド、Ｎ−（３−ジメチルアミノプロピル）メタクリルアミド、Ｎ−（３−ジメチルアミノプロピル）アクリルアミド、メタクリロイルオキシエチルトリメチルアンモニウムクロリド、アクリロイルオキシエチルトリメチルアンモニウムクロリド、メタクリロイルオキシエチルジメチルベンジルアンモニウムクロリド、アクリロイルオキシエチルジメチルベンジルアンモニウムクロリド、（３−アクリルアミドプロピル）トリメチルアンモニウムクロリド、メタクリルアミドプロピルトリメチルアンモニウムクロリド、３−アクリルアミド−３−メチルブチルトリメチルアンモニウムクロリド、２−ビニルピリジン、メタクリル酸−２−（ジメチルアミノ）エチルエステル、アクリル酸−２−（ジメチルアミノ）エチルエステル、エチレングリコールアクリレートまたはこれらの組み合わせを含み、前記アニオン性モノマーは、アクリル酸、メタクリル酸、イタコン酸、マレイン酸、無水マレイン酸、及びこれらの酸の塩、またはこれらの組み合わせを含む、請求項７に記載の組成物。
【請求項１１】
前記金属塩は、アルミニウム塩、鉄塩、ジルコニウム塩、硫酸アルミニウム、塩化アルミニウム、ポリ塩化アルミニウム、ポリ硝酸アルミニウム、ポリ硫酸アルミニウム、アルミニウムクロロハイドレート、ポリケイ酸硫酸アルミニウム、ポリ硝酸硫酸アルミニウム、ポリ硫酸塩化アルミニウム、ジルコニウム、硫酸鉄、塩化鉄、ポリ塩化鉄、ポリ硫酸鉄、ポリケイ酸硫酸鉄、ポリ硫酸塩化鉄、またはこれらの組み合わせを含む、請求項１〜１０のいずれか一項に記載の組成物。
【請求項１２】
前記組成物の０．００１〜１０重量％の天然ポリマーまたは合成ポリマーをさらに含む、請求項１〜１１のいずれか一項に記載の組成物。
【請求項１３】
前記天然ポリマーまたは合成ポリマーは、アクリルアミド類コポリマーもしくはトリポリマー、キトサン、グアーガム、セルロース、澱粉、変性セルロース、またはこれらの組み合わせを含む、請求項１２に記載の組成物。
【請求項１４】
請求項１に記載の組成物の、水性液体系の液状媒体への導入を含む、方法。
【請求項１５】
前記水性液体系は、再循環水系、廃水処理系、塗料吹き付け室、塗料吹き付け室再循環水系、またはこれらの組み合わせを含む、請求項１４に記載の方法。
【請求項１６】
前記組成物は、塗料の粘着性を低減（ｄｅｔａｃｋｉｆｙ）する、請求項１４に記載の方法。
【請求項１７】
前記組成物は、自動車の塗装作業中にスプレーされた塗料の粘着性を低減する、請求項１４に記載の方法。
【請求項１８】
前記有機成分及び前記金属塩は、それらが水性液体系に導入される前、水性液体系に導入された後、水性液体系に導入されている間、またはこれらの組み合わせで、互いに接触する、請求項１〜１３のいずれか一項に記載の組成物。
【請求項１９】
凝集剤をさらに含む、請求項１〜１３のいずれか一項に記載の組成物。
【請求項２０】
前記液状媒体のｐＨを変更するステップをさらに含む、請求項１４〜１７のいずれか一項に記載の方法。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
ポリオール、水、発泡剤およびアミン触媒、ならびに、さらに反応性および貯蔵安定性向上剤としての脂肪族ジカルボン酸を含む硬質ポリウレタンフォームを製造するためのポリオールプレミックス組成物であって、前記発泡剤がヒドロハロオレフィンを含み、前記脂肪族ジカルボン酸が、アミン触媒のアミノ基に対して少なくとも１．２当量のカルボキシル基の量で存在する、前記組成物。
【請求項２】
前記脂肪族ジカルボン酸を、アミン触媒のアミノ基に対して少なくとも１．５当量のカルボキシル基の量で含む、請求項１に記載のポリオールプレミックス組成物。
【請求項３】
前記アミン触媒が、モノアミン−、ジアミン−、ポリアミン−およびアルカノールアミンベースの触媒から選択され、さらにアンモニウム塩または非アミン型触媒を含む、請求項１または２に記載のポリオールプレミックス組成物。
【請求項４】
前記発泡剤がヒドロクロロフルオロオレフィンである、請求項１〜３のいずれか一項に記載のポリオールプレミックス組成物。
【請求項５】
発泡剤が１−クロロ−３，３，３−トリフルオロプロペンである、請求項１〜４のいずれか一項に記載のポリオールプレミックス組成物。
【請求項６】
前記ポリオールが、芳香族アミンベースのポリエーテルポリオールを含む、請求項１〜５のいずれか一項に記載のポリオールプレミックス組成物。
【請求項７】
請求項１〜６のいずれか一項に記載のポリオールプレミックス組成物とイソシアネートとを反応させることにより製造される、硬質ポリウレタンフォーム。
【請求項８】
請求項１〜６のいずれか一項に記載のポリオールプレミックス組成物とイソシアネートとを反応させることを含む、硬質ポリウレタンフォームの製造方法。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
５０μｍ〜１００μｍの体積中位径（Ｄ５０）を有するフマル酸ジメチル（ＤＭＦ）粒子。
【請求項２】
スパン（（Ｄ０．９−Ｄ０．１）／Ｄ０．５）が２．０未満である、請求項１に記載のＤＭＦ粒子。
【請求項３】
請求項１または２に記載のＤＭＦ粒子であって、１０μｍ未満の粒径を有するものが前記粒子の１０％未満である前記粒子。
【請求項４】
１．７未満の流速指数を有する、請求項１〜３のいずれか１項に記載のＤＭＦ粒子。
【請求項５】
比エネルギー（ＳＥ）が１５．０未満である、請求項１〜４のいずれか１項に記載のＤＭＦ粒子。
【請求項６】
２．０より大きい流動関数値を有する、請求項１〜５のいずれか１項に記載のＤＭＦ粒子。
【請求項７】
１ｋＰａで透過性試験を受ける場合に、圧力損失が０．４ｍＢａｒ未満である、請求項１〜６のいずれか１項に記載のＤＭＦ粒子。
【請求項８】
１５ｋＰａで透過性試験を受ける場合に、圧力損失が０．５ｍＢａｒ未満である、請求項１〜７のいずれか１項に記載のＤＭＦ粒子。
【請求項９】
Ｍａｌｖｅｒｎ  Ｍｏｒｐｈｏｌｏｇｉ  Ｇ３装置を用いて測定された場合に、前記粒子の３０％超が８０未満の強度を有する、請求項１〜８のいずれか１項に記載のＤＭＦ粒子。
【請求項１０】
前記粒子の累積体積による４０％が０．８〜０．９の範囲の円形度値を有する、請求項１〜９のいずれか１項に記載のＤＭＦ粒子。
【請求項１１】
湿式摩砕によってＤＭＦ粒子径を低減させるステップを含む、請求項１〜１０のいずれか１項に記載のＤＭＦ粒子の調製方法。
【請求項１２】
請求項１１に係る方法によって調製されたＤＭＦ粒子。
【請求項１３】
腸溶性コーティングで被覆された請求項１〜１０及び１２のいずれか１項に記載のフマル酸ジメチル（ＤＭＦ）出発粒子を含むＤＭＦ被覆粒子であって、上記腸溶性被覆ＤＭＦ粒子が、溶解媒体としてペプシンを含まないＵＳＰ人工胃液（ＳＧＦ）を用いたイン・ビトロ溶解試験に供される場合に、４〜１２時間にわたって放出するＤＭＦが２０％以下である、前記ＤＭＦ被覆粒子。
【請求項１４】
フマル酸ジメチル（ＤＭＦ）が、治療を受ける対象の胃及び／または小腸中に少なくとも３時間保持される、請求項１３に記載のＤＭＦ被覆粒子を含む制御放出剤形。
【請求項１５】
請求項１３に記載のＤＭＦ被覆粒子を含む内層と、
前記内層を覆う少なくとも１の外側の膜と
を備え、
前記外側の膜が前記内層の速度よりも大きな速度で水和可能であり、前記外側の膜及び前記内層が蛇腹折り形状に整えられ、前記外側の膜及び前記内層が、胃液に接触した場合に、前記当初の蛇腹折り形状から拡がった形状へと展開するのに十分な機械的力を与え、治療を受ける対象の胃において少なくとも３時間保持される胃内滞留性剤形。
【請求項１６】
（ａ）第１の用量のフマル酸ジメチルを含む第１の投薬構成要素と、
（ｂ）第２の用量のフマル酸ジメチルを含む第２の投薬構成要素と
を備え、
対象に経口投与される場合、第１及び第２の用量のフマル酸ジメチルが持続的なまたはパルス状の形態で送達され、且つ第２の用量が治療を受ける対象の胃及び／または小腸に少なくとも３時間保持され、第２の投薬構成要素が請求項１３に記載のＤＭＦ被覆粒子を含む単位剤形。
【請求項１７】
（ａ）第１の用量のフマル酸ジメチルを含み、腸溶性被覆即時放出剤形である第１の投薬構成要素と、
（ｂ）第２の用量のフマル酸ジメチルを含む第２の投薬構成要素と
を備え、
対象に経口投与された場合、第２の用量が治療を受ける対象の胃に少なくとも３時間保持され、第２の投薬構成要素が請求項１５に記載の胃内滞留性剤形である単位剤形。
【請求項１８】
請求項１に記載のＤＭＦ粒子または請求項１３に記載のＤＭＦ被覆粒子を含む医薬組成物。
【請求項１９】
対象における多発性硬化症の治療における使用のための、請求項１８に記載の医薬組成物を含む、医薬組成物。
【請求項２０】
治療を必要とする対象における多発性硬化症の治療における使用のための、請求項１４〜１６のいずれか１項に記載の剤形を含む、医薬組成物。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
非コクリエート化ＮＳＡＩＤに対する忍容性が低いか、又は胃腸管内のＮＳＡＩＤ誘導性病変若しくは潰瘍に罹りやすい被検体を治療するための、コクリエートを含む配合物であって、該コクリエートが治療有効量のＮＳＡＩＤを含み、経口投与される配合物。
【請求項２】
前記コクリエートが、
負に帯電したリン脂質を含む脂質単分子層であって、該脂質単分子層が疎水性ドメインを取り囲み、前記ＮＳＡＩＤが該疎水性ドメイン内に分散している、脂質単分子層と、
交互二価カチオンと、前記負に帯電したリン脂質を含むリン脂質二重層とを含む脂質層であって、前記脂質単分子層が該脂質層内に隔離されている、脂質層と、
を含むジオードコクリエートである、請求項１に記載の配合物。
【請求項３】
前記疎水性ドメインが油である、請求項２に記載の配合物。
【請求項４】
前記ＮＳＡＩＤがサリチラート、プロピオン酸誘導体、酢酸誘導体、エノール酸（−オキシカム）誘導体、アントラニル酸誘導体、選択的ＣＯＸ−２阻害剤、及びスルホンアニリドからなる群から選択される、請求項１〜３のいずれか一項に記載の配合物。
【請求項５】
前記治療有効量のＮＳＡＩＤを含むコクリエートが、投与した場合に、胃腸管内でいかなる病変も誘導しない、請求項１〜４のいずれか一項に記載の配合物。
【請求項６】
前記ジオードコクリエートが、被験体の胃腸管内に病変又は潰瘍が発生する被験体の割合を、前記ＮＳＡＩＤの非コクリエート化型により治療した場合に胃腸管内に病変又は潰瘍が発生する被験体の割合と比較して４０％、５０％、６０％、７０％、８０％、９０％又は１００％超低減する、請求項１〜５のいずれか一項に記載の配合物。
【請求項７】
前記ジオードコクリエートが、被験体の胃腸管内の病変又は潰瘍の平均数を、前記ＮＳＡＩＤの非コクリエート化型と比較して６０％、７０％、８０％、９０％又は１００％超低減する、請求項１〜６のいずれか一項に記載の配合物。
【請求項８】
前記ジオードコクリエートが、被験体の胃腸管内の病変又は潰瘍の平均サイズを、前記ＮＳＡＩＤの非コクリエート化型と比較して５０％、６０％、７０％、８０％、９０％又は１００％超低減する、請求項１〜７のいずれか一項に記載の配合物。
【請求項９】
前記ジオードコクリエート中のＮＳＡＩＤ用量が、同じＮＳＡＩＤの非コクリエート化型の用量と比較して２０％、３０％、４０％、５０％、６０％、７０％、８０％又は９０％超低減されている、請求項１〜８のいずれか一項に記載の配合物。
【請求項１０】
前記被験体が非コクリエート化ＮＳＡＩＤに対する忍容性が低い、請求項１〜９のいずれか一項に記載の配合物。
【請求項１１】
前記被験体が胃腸管内のＮＳＡＩＤ誘導性病変又は潰瘍に罹りやすい、請求項１〜１０のいずれか一項に記載の配合物。
【請求項１２】
疎水性ドメイン（ＨＤ）とジオードコクリエートのリン脂質成分（ＰＰＬＧＤ）との比率ＨＤ：ＰＰＬＧＤ、又はヒマシ油ドメイン（ＣＯＤ）とジオードコクリエートのリン脂質成分（ＰＰＬＧＤ）との比率ＣＯＤ：ＰＰＬＧＤが１：２０以下、１：１５以下、１：１０以下、１：８以下、１：６以下、１：５以下、１：４以下、１：３．５以下、１：３以下、１：２．７５以下、１：２．５以下、１：２．２５以下、１：２以下、１：１．７５以下、１：１．５以下、１：１．２５以下、１：１以下である、請求項２〜１１のいずれか一項に記載の配合物。
【請求項１３】
前記コクリエートの１日当たりの用量が３ｇ、２．５ｇ、２ｇ、１．５ｇ、１．２５ｇ、１ｇ、７５０ｍｇ、５００ｍｇ、４００ｍｇ、３００ｍｇ、２５０ｍｇ、２００ｍｇ、１５０ｍｇ、１００ｍｇ又は５０ｍｇ以下である、請求項１〜１２のいずれか一項に記載の配合物。
【請求項１４】
前記コクリエートが１日１回又は１日２回投与される、請求項１〜１３のいずれか一項に記載の配合物。
【請求項１５】
前記配合物が胆汁酸塩を更に含む、請求項１〜１４のいずれか一項に記載の配合物。
【請求項１６】
前記コクリエート配合物が０．１ｍＭ〜０．５ｍＭの胆汁酸塩を含有する、請求項１５に記載の配合物。
【請求項１７】
前記被験体がヒトである、請求項１〜１６のいずれか一項に記載の配合物。
【請求項１８】
前記コクリエートが１つ以上の負に帯電した脂質を含み、該１つ以上の負に帯電した脂質が該コクリエート中の全脂質の４０％〜７０％を占める、請求項１〜１７のいずれか一項に記載の配合物。
【請求項１９】
前記１つ以上の負に帯電した脂質が前記コクリエート中の全脂質の５０％〜６０％を占める、請求項１８に記載の配合物。
【請求項２０】
前記１つ以上の負に帯電した脂質がホスファチジルセリンを含む、請求項１９に記載の配合物。
【請求項２１】
前記ホスファチジルセリンがダイズホスファチジルセリンである、請求項２０に記載の配合物。
【請求項２２】
前記コクリエートが１つ以上の中性又はカチオン性の脂質又はステロールを更に含む、請求項１〜２１のいずれか一項に記載の配合物。
【請求項２３】
前記１つ以上の中性又はカチオン性の脂質又はステロールが、ホスファチジルコリン及びスフィンゴミエリンからなる群から選択される、請求項２２に記載の配合物。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
１０を超える血清型のエンテロウイルス（Ｅｎｔｅｒｏｖｉｒｕｓ）の不活性化ウイルス、および水酸化アルミニウム、リン酸アルミニウム、ミョウバン（硫酸アルミニウムカリウム）、またはそれらの混合物を含むアジュバントを含むことを特徴とする組成物。
【請求項２】
請求項１に記載の組成物において、液体の形態であり、各血清型が１ｍＬあたり１×１０３ＴＣＩＤ５０を超える濃度であることを特徴とする組成物。
【請求項３】
請求項１に記載の組成物において、ＨＲＶ−Ａ１６、ＨＲＶ−Ａ３６、ＨＲＶ−Ａ７８、ＨＲＶ−Ａ３８、ＨＲＶ−Ａ２、ＨＲＶ−Ｂ１４、ＨＲＶ−Ａ９、ＨＲＶ−Ａ１３、ＨＲＶ−Ａ２９、ＨＲＶ−Ａ７６、ＨＲＶ−Ａ６０、ＨＲＶ−Ａ４９、ＨＲＶ−Ａ４１、ＨＲＶ−Ａ３２、ＨＲＶ−Ａ５８およびＨＲＶ−Ａ１１の血清型を含むことを特徴とする組成物。
【請求項４】
請求項１に記載の組成物において、ライノウイルスがホルマリン不活性化されたものであり、
前記ウイルスが細胞内で複製するような条件下で前記細胞と血清型を混合する工程；
培地中で前記細胞を培養し、最終的に１ｍＬあたり１×１０６ＴＣＩＤ５０以上の濃度となるよう、任意選択により前記ウイルスを精製および／または濃縮する工程；および
前記ウイルスを不活性化ウイルスが得られるような条件下でホルムアルデヒドと混合する工程
によって製造されることを特徴とする組成物。
【請求項５】
請求項４に記載の組成物において、前記細胞がヒト不死細胞または他の細胞株であることを特徴とする組成物。
【請求項６】
請求項４に記載の組成物において、前記製造工程が、複製されたウイルスをサイズ排除クロマトグラフィーおよび／またはイオン交換クロマトグラフィーによって精製することをさらに含むことを特徴とする組成物。
【請求項７】
必要とする対象のヒトライノウイルス感染を処置または予防するための製剤の製造における、請求項１〜６のいずれか一項に記載の免疫組成物の使用。
【請求項８】
請求項７に記載の使用において、前記製剤が、不活性化されたヒトライノウイルスを１用量あたり１×１０３ＴＣＩＤ５０を超える濃度で含むことを特徴とする使用。
【請求項９】
請求項８に記載の使用において、前記製剤が、ワクチンの第１の用量および前記第１の用量の３日より後に投与される第２の用量を含むことを特徴とする使用。
【請求項１０】
請求項７に記載の使用において、前記対象が５歳未満であることを特徴とする使用。
【請求項１１】
請求項７に記載の使用において、前記対象が６０歳を超えることを特徴とする使用。
【請求項１２】
請求項７に記載の使用において、前記対象が喘息、ＣＯＰＤ、肺気腫、慢性気管支炎または嚢胞性線維症と診断されることを特徴とする使用。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
細胞中のペルオキシソーム増殖因子活性化受容体α(PPARα)の活性を調節するための組成物であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを含む、組成物。
【請求項２】
PPARαリガンドがHMBである、請求項1に記載の組成物。
【請求項３】
PPARαリガンドがHEXである、請求項1に記載の組成物。
【請求項４】
PPARαリガンドがOCTである、請求項1に記載の組成物。
【請求項５】
ニューロン細胞中のPPARα活性を調節する、請求項1〜4のいずれか一項に記載の組成物。
【請求項６】
海馬細胞中のPPARα活性を調節する、請求項1〜5のいずれか一項に記載の組成物。
【請求項７】
認知症、神経変性性障害、リソソーム貯蔵障害又は肥満症を有する対象に投与される、請求項1〜6のいずれか一項に記載の組成物。
【請求項８】
神経変性性障害が、パーキンソン病、アルツハイマー病、多発性硬化症、ハンチントン病及びHIV関連認知症からなる群から選択される、請求項7に記載の組成物。
【請求項９】
リソソーム貯蔵障害が、バッテン病、テイ-サックス病、ファーバー病及びファブリー病からなる群から選択される、請求項7に記載の組成物。
【請求項１０】
経口的に送達される、請求項1〜9のいずれか一項に記載の組成物。
【請求項１１】
有効量のPPARαリガンドがニューロン細胞中のPPARα活性を活性化させる、請求項1〜9のいずれか一項に記載の組成物。
【請求項１２】
有効量のPPARαリガンドが対象におけるシナプスの機能を強化する、請求項1〜9のいずれか一項に記載の組成物。
【請求項１３】
有効量のPPARαリガンドが、ニューロン細胞へのカルシウムの進入を上方制御する、請求項1〜9のいずれか一項に記載の組成物。
【請求項１４】
対象における認知症を治療するための組成物であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを含む組成物。
【請求項１５】
対象における神経障害を治療するための組成物であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを含む組成物。
【請求項１６】
対象におけるリソソーム貯蔵障害を治療するための組成物であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを含む組成物。
【請求項１７】
対象における体重障害を治療するための組成物であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを含む組成物。
【手続補正２】
【補正対象書類名】明細書
【補正対象項目名】０１３３
【補正方法】変更
【補正の内容】
【０１３３】
上の図及び開示は、例示であることを意図されており、網羅的であることは意図されない。この記載は、多くの変化及び代替を当業者に示唆するであろう。全てのそのような変化及び代替は、添付の請求項の範囲内に包含されることが意図されている。当業者は、本明細書に記載された特定の実施形態に等価の他の事物を認識し得るが、それらの等価事物も添付の請求項により包含されることが意図されている。
本発明の様々な実施形態を以下に示す。
１．それを必要とする対象における細胞中のペルオキシソーム増殖因子活性化受容体α(PPARα)の活性を調節する方法であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを対象に投与することを含む方法。
２．PPARαリガンドがHMBである、上記1に記載の方法。
３．PPARαリガンドがHEXである、上記1に記載の方法。
４．PPARαリガンドがOCTである、上記1に記載の方法。
５．ニューロン細胞中のPPARα活性を調節することを含む、上記1〜4のいずれかに記載の方法。
６．海馬細胞中のPPARα活性を調節することを含む、上記1〜5のいずれかに記載の方法。
７．有効量のPPARαリガンドを、認知症、神経変性性障害、リソソーム貯蔵障害又は肥満症を有する対象に投与することを含む、上記1〜6のいずれかに記載の方法。
８．神経変性性障害が、パーキンソン病、アルツハイマー病、多発性硬化症、ハンチントン病及びHIV関連認知症からなる群から選択される、上記7に記載の方法。
９．リソソーム貯蔵障害が、バッテン病、テイ-サックス病、ファーバー病及びファブリー病からなる群から選択される、上記7に記載の方法。
１０．有効量のPPARαリガンドが経口的に送達される、上記1〜9のいずれかに記載の方法。
１１．有効量のPPARαリガンドがニューロン細胞中のPPARα活性を活性化させる、上記1〜9のいずれかに記載の方法。
１２．有効量のPPARαリガンドが対象におけるシナプスの機能を強化する、上記1〜9のいずれかに記載の方法。
１３．有効量のPPARαリガンドが、ニューロン細胞へのカルシウムの進入を上方制御する、上記1〜9のいずれかに記載の方法。
１４．対象における認知症を治療する方法であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを対象に投与することを含む方法。
１５．対象における神経障害を治療する方法であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを対象に投与することを含む方法。
１６．対象におけるリソソーム貯蔵障害を治療する方法であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを対象に投与することを含む方法。
１７．対象における体重障害を治療する方法であって、
3-ヒドロキシ-2,2-ジメチルブチレート(HMB)、ヘキサデカンアミド(HEX)及び9-オクタデセンアミド(OCT)からなる群から選択される、有効量のPPARαリガンドを対象に投与することを含む方法。